(57)【要約】【課題】加締め部の軸線方向のスプリングバックを低減し、加締め力を向上させたガスセンサ及びその製造方法を提供する。【解決手段】自身の先端側又は後端側に加締め部２０ａを有する筒状の主体金具２０と、軸線方向に延びて主体金具内に保持されるセンサ素子３と、加締め部に固定される他部材３０とを少なくとも有するガスセンサ１００において、他部材は加締め部に覆われ、加締め部は、径方向内側に曲げられて他部材を主体金具の軸線方向に沿う中央側へ向かって押圧し、加締め部の少なくとも外表面に軸線方向に高低差を有する凹凸２０ｕが形成されている。【選択図】図２
2014222151.tif 000002
【特許請求の範囲】
【請求項１】
自身の先端側又は後端側に加締め部を有する筒状の主体金具と、軸線方向に延びて前記主体金具内に保持されるセンサ素子と、前記加締め部に固定される他部材とを少なくとも有するガスセンサにおいて、
前記他部材は、前記加締め部に覆われ、
前記加締め部は、径方向内側に曲げられて前記他部材を前記主体金具の前記軸線方向に沿う中央側へ向かって押圧し、
前記加締め部の少なくとも外表面に軸線方向に高低差を有する凹凸が形成されていることを特徴とするガスセンサ。
【請求項２】
前記加締め部は前記主体金具の後端側に設けられ、
前記主体金具の内側面及び前記センサ素子の外側面の間に充填部材が配置され、当該充填部材は、前記他部材を介して前記軸線方向の先端側に押圧されて前記主体金具と前記センサ素子の隙間をシールしている請求項１記載のガスセンサ。
【請求項３】
自身の先端側又は後端側に加締め素形部を有する筒状の主体金具内に、軸線方向に延びるセンサ素子を挿入すると共に、他部材を前記加締め素形部の内側に配置する配置工程と、
加締め金型により、前記加締め素形部を径方向内側に曲げつつ前記主体金具の前記軸線方向に沿う中央側へ向かって押圧して加締め、加締め部を形成する加締め工程と、を少なくとも有するガスセンサの製造方法において、
前記加締め金型のうち前記加締め素形部の外表面に当接する当接面には、軸線方向に高低差を有する金型部凹凸が形成されていることを特徴とするガスセンサの製造方法。
【発明の詳細な説明】
【技術分野】
【０００１】
本発明は、被検出ガスの濃度を検出するガスセンサ及びその製造方法に関する。
【背景技術】
【０００２】
自動車等の排気ガス中の酸素濃度を検出するガスセンサとして、軸線方向に延びるセンサ素子を、筒状の主体金具の内側に挿通して保持するものが知られている。このガスセンサは、以下のようにして製造される。まず、主体金具の内側にセンサ素子を挿通すると共に、充填部材及び筒状のセラミックスリーブを主体金具の後端部の内側に配置する。主体金具の後端側には加締め部が設けられており、この加締め部を、径方向内側に曲げつつ先端側へ向かって加締め金型によって押圧して加締める。これにより、加締め部によって先端側に押圧された金属リング及びセラミックスリーブを介して充填部材が先端側に圧縮され、主体金具とセンサ素子の隙間をシールするようになっている（特許文献１）。
【先行技術文献】
【特許文献】
【０００３】
【特許文献１】特開２００１−２４９１０５号公報
【発明の概要】
【発明が解決しようとする課題】
【０００４】
ところで、加締め部は、軸線方向に延びる筒状の部材（加締め素形部）を、加締め金型によって径方向内側に曲げることで形成される。このため、加締め荷重を解放すると、加締め素形部がスプリングバックにより後端側へ戻り、それに伴って金属リング及びセラミックスリーブを介して充填部材へ掛けられた荷重も軸線方向に若干解放され、主体金具とセンサ素子の隙間のシールが不十分となるおそれがある。一方、スプリングバックを低減するために加締め部の厚みを厚くし過ぎると、加締め時の曲げ加工が困難になったり、コストアップに繋がる。
従って、本発明は、加締め部の軸線方向のスプリングバックを低減し、加締め力を向上させたガスセンサ及びその製造方法の提供を目的とする。
【課題を解決するための手段】
【０００５】
上記課題を解決するため、本発明のガスセンサは、自身の先端側又は後端側に加締め部を有する筒状の主体金具と、軸線方向に延びて前記主体金具内に保持されるセンサ素子と、前記加締め部に固定される他部材とを少なくとも有するガスセンサにおいて、前記他部材は、前記加締め部に覆われ、前記加締め部は、径方向内側に曲げられて前記他部材を前記主体金具の前記軸線方向に沿う中央側へ向かって押圧し、前記加締め部の少なくとも外表面に軸線方向に高低差を有する凹凸が形成されていることを特徴とする。
このガスセンサによれば、加締め部の少なくとも外表面に形成された凹凸が補強部（リブ）となって加締め部の強度が高くなるので、加締め部がスプリングバックにより後端側へ戻ることを抑制し、軸線方向の加締め力を向上させることができる。
【０００６】
前記加締め部は前記主体金具の後端側に設けられ、前記主体金具の内側面及び前記センサ素子の外側面の間に充填部材が配置され、当該充填部材は、前記他部材を介して前記軸線方向の先端側に押圧されて前記主体金具と前記センサ素子の隙間をシールしてもよい。
このガスセンサによれば、加締め部によって先端側へ押圧された充填部材の軸線方向の荷重が解放されることを抑制し、主体金具とセンサ素子の隙間のシールが確実になる。
【０００７】
本発明のガスセンサの製造方法は、自身の先端側又は後端側に加締め素形部を有する筒状の主体金具内に、軸線方向に延びるセンサ素子を挿入すると共に、他部材を前記加締め素形部の内側に配置する配置工程と、加締め金型により、前記加締め素形部を径方向内側に曲げつつ前記主体金具の前記軸線方向に沿う中央側へ向かって押圧して加締め、加締め部を形成する加締め工程と、を少なくとも有するガスセンサの製造方法において、前記加締め金型のうち前記加締め素形部の外表面に当接する当接面には、軸線方向に高低差を有する金型部凹凸が形成されている。
このガスセンサの製造方法によれば、加締め部の少なくとも外表面に形成された凹凸が補強部（リブ）となって加締め部の強度が高くなるので、加締め部がスプリングバックにより後端側へ戻ることを抑制し、軸線方向の加締め力を向上させることができる。
又、加締め金型によって加締め加工時に加締め部の外表面に凹凸を形成することで、別工程で凹凸を形成する場合に比べ、工程を簡略にすることができる。又、加締め加工前の筒状の部材（加締め素形部）に予め凹凸を形成すると、凹凸を形成する別工程が必要になると共に、加締め素形部の強度が高くなるため加締め荷重を増大させる必要があるが、かかる不具合を解消することができる。
【発明の効果】
【０００８】
この発明によれば、軸線方向の加締め部のスプリングバックを低減し、加締め力を向上させたガスセンサが得られる。
【図面の簡単な説明】
【０００９】
【図１】本発明の実施形態に係るガスセンサを軸線方向に沿う面で切断した断面図である。
【図２】主体金具の加締め部周辺の部分斜視図である。
【図３】図２のＡ−Ａ線の高さで軸線Ｏ方向に垂直な面で切断した加締め部の厚み方向の断面図である。
【図４】加締め金型を先端側から見た部分断面斜視図である。
【図５】加締め加工を示す工程図である。
【図６】加締め部の変形例を示す厚み方向の断面図である。
【図７】加締め加工を示す別の工程図である。
【発明を実施するための形態】
【００１０】
以下、本発明の実施形態について説明する。
図１は、本発明の実施形態に係るガスセンサ１００を、軸線Ｏ方向に沿う面で切断した断面構造を示す。この実施形態において、ガスセンサ１００は自動車の排気管内に挿入されて先端が排気ガス中に曝され、排気ガス中の酸素濃度を検出する酸素センサになっている。センサ素子３は、酸素イオン伝導性の固体電解質体に一対の電極を積層した酸素濃淡電池を構成し、酸素量に応じた検出値を出力する公知の酸素センサ素子である。
なお、図１の下側をガスセンサ１００の先端側とし、図１の上側をガスセンサ１００の後端側とする。
【００１１】
ガスセンサ１００は、先端が閉じた略円筒状(中空軸状)のセンサ素子（この例では酸素センサ素子）３を、筒状の主体金具２０の内側に挿通して保持するよう組み付けられている。センサ素子３は、先端に向かってテーパ状に縮径する筒状の固体電解質体と、固体電解質体の内周面と外周面にそれぞれ形成された内側電極及び外側電極（図示せず）とからなる。又、センサ素子３の中空部には丸棒状のヒータ１５が挿入され、固体電解質体を活性化温度に昇温するようになっている。
主体金具２０の後端部には、センサ素子３の後端側に設けられたリード線や端子（後述）を保持し、センサ素子３の後端部を覆う筒状の外筒４０が接合されている。さらに、センサ素子３の後端側の外筒４０の内側には、絶縁性で円柱状のセパレータ１２１が加締め固定されている。一方、センサ素子３先端の検出部はプロテクタ７で覆われている。そして、このようにして製造されたガスセンサ１００の主体金具２０の雄ねじ部２０ｄを排気管等のネジ孔に取付けることで、センサ素子３先端の検出部を排気管内に露出させて被検出ガス（排気ガス）を検知している。なお、主体金具２０の中央付近には、六角レンチ等を係合するための多角形の鍔部２０ｃが設けられ、鍔部２０ｃと雄ねじ部２０ｄとの間の段部には、排気管に取付けた際のガス抜けを防止するガスケット１４が嵌挿されている。
【００１２】
センサ素子３の中央側に鍔部３ａが設けられ、主体金具２０の先端寄りの内周面には内側に縮径する段部が設けられている。又、段部の後端向き面にワッシャ１２を介して筒状のセラミックホルダ５が配置されている。そして、センサ素子３が主体金具２０及びセラミックホルダ５の内側に挿通され、セラミックホルダ５に後端側からワッシャ１３を介してセンサ素子３の鍔部３ａが当接している。
さらに、鍔部３ａの後端側におけるセンサ素子３と主体金具２０との径方向の隙間に、筒状の滑石粉末６、及び筒状のセラミックスリーブ１０が配置されている。そして、セラミックスリーブ１０の後端側に金属リング３０を配置し、主体金具２０の後端部を内側に屈曲して加締め部２０ａを形成することにより、セラミックスリーブ１０が先端側に押し付けられる。これにより滑石粉末６を押し潰し、セラミックスリーブ１０及び滑石粉末６が加締め固定されるとともに、センサ素子３と主体金具２０の隙間がシールされている。
なお、滑石粉末６が特許請求の範囲の「充填部材」に相当し、金属リング３０が特許請求の範囲の「他部材」に相当する。
【００１３】
センサ素子３の後端側に配置されたセパレータ１２１には、挿通孔（この例では４個）が設けられ、そのうち２個の挿通孔にそれぞれ内側端子金具７１、外側端子金具９１の板状基部７４、９４が挿入されて固定されている。各板状基部７４、９４の後端にはそれぞれコネクタ部７５、９５が形成され、コネクタ部７５、９５にそれぞれリード線４１、４１が加締め接続されている。又、セパレータ１２１の図示しない２個の挿通孔（ヒータリード孔）に、ヒータ１５から引き出されたヒータリード線４３（図１では１個のみ図示）が挿通されている。
セパレータ１２１の後端側の外筒４０内側には筒状のグロメット１３１が加締め固定され、グロメット１３１の４個の挿通孔からそれぞれ２個のリード線４１、及び２個のヒータリード線４３が外部に引き出されている。
なお、グロメット１３１の中心には貫通孔１３１ａが形成され、センサ素子３の内部空間に連通している。そして、グロメット１３１の貫通孔１３１ａに撥水性の通気フィルタ１４０が介装され、外部の水を通さずにセンサ素子３の内部空間に基準ガス（大気）を導入するようになっている。
【００１４】
一方、主体金具２０の先端側には筒状のプロテクタ７が外嵌され、主体金具２０から突出するセンサ素子３の先端側がプロテクタ７で覆われている。プロテクタ７は、複数の孔部（図示せず）を有する有底筒状で金属製（例えば、ステンレスなど）の外側プロテクタ７ｂおよび内側プロテクタ７ａを、溶接等によって二重に取り付けて構成されている。
【００１５】
図２は、主体金具２０の加締め部２０ａ周辺の部分斜視図を示す。加締め部２０ａは環状に形成され、加締め部２０ａの外表面には、軸線Ｏ方向に高低差を有する凹凸２０ｕが周方向の全周にわたって形成されている。なお、凹凸２０ｕは、凹部と凸部が周方向に交互に形成され、凹部と凸部の曲率を同じにした波形状になっている。
このように、加締め部２０ａの少なくとも外表面に凹凸２０ｕが形成されていると、凹凸２０ｕが補強部（リブ）となって加締め部２０ａの強度が高くなるので、加締め部２０ａの軸線Ｏ方向から径方向内側に曲げられた加締め素形部２０ａｆがスプリングバックにより後端側へ戻ることを抑制し、軸線Ｏ方向の加締め力を向上させることができる。そのため、加締め部２０ａによって金属リング３０及びセラミックスリーブ１０を介して先端側へ押圧された滑石粉末６の軸線Ｏ方向の荷重が解放されることを抑制し、主体金具２０とセンサ素子３の隙間のシールが確実になる。
なお、従来からいわゆる八方丸加締めのように、径方向に断続的に加締める方法があるが、八方丸加締めは軸線Ｏ方向へ加締める方法ではないので、軸線Ｏ方向のスプリングバックを抑制することは困難である。
又、図２のＡ−Ａ線の高さで軸線Ｏ方向に垂直な面で切断した断面図である図３に示すように、この例では加締め部２０ａの厚み方向に見て、外表面２０ａｘの凹凸２０ｕと相補的な（凹凸２０ｕと高低差の位置が逆になっている）凹凸２０ｖが内表面２０ａｙに形成されている。
【００１６】
次に、図４〜図５を参照して、本発明の実施形態に係るガスセンサ１００の製造方法について説明する。
図４は、加締め部２０ａを加締め加工する加締め金型２００を先端側から見た部分断面斜視図である。加締め金型２００は中心孔２００ｈを有する略円筒状に形成され、加締め金型２００の先端向き面２００ａ（特許請求の範囲の「当接面」に相当）は、径方向外側で平坦面を有すると共に、径方向内側では後端側へ向けて狭まる滑らかなテーパ状になっていて、このテーパ面に金型部凹凸２００ｕが形成されている。金型部凹凸２００ｕは、凹部と凸部が周方向に交互に形成されている。
【００１７】
図５は、加締め加工を示す工程図である。
図５（ａ）に示すように、加締め加工前の主体金具２０の後端部には、軸線Ｏ方向に延びる略円筒状の加締め素形部２０ｒが形成されている。まず、主体金具２０内に、センサ素子３を挿入すると共に、センサ素子３と主体金具２０との径方向の隙間に、滑石粉末６、セラミックスリーブ１０及び金属リング３０を順に配置する。ここで、金属リング３０は、加締め素形部２０ｒの内側に位置する（配置工程）。
次に、図５（ｂ）に示すように、加締め金型２００の中心孔２００ｈにセンサ素子３を挿入する。そして、図５（ｃ）に示すように、加締め金型２００の先端向き面２００ａを加締め素形部２０ｒに当接させ、加締め素形部２０ｒを径方向内側に曲げつつ先端側へ向かって押圧して加締め、加締め部２０ａを形成する（加締め工程）。先端向き面２００ａには、上述の金型部凹凸２００ｕが形成されているので、加締めによって加締め部２０ａの外表面に凹凸２０ｕが型押しされる。
このように、加締め金型２００によって加締め加工時に加締め部２０ａの外表面に凹凸２０ｕを形成することで、別工程で凹凸２０ｕを形成する場合に比べ、工程を簡略にすることができる。又、加締め加工前の加締め素形部２０ｒに予め凹凸を形成すると、凹凸を形成する別工程が必要になると共に、加締め素形部２０ｒの強度が高くなるため加締め荷重を増大させる必要があるが、かかる不具合を解消することができる。
【００１８】
本発明は上記実施形態に限定されず、本発明の思想と範囲に含まれる様々な変形及び均等物に及ぶことはいうまでもない。
本発明は、自動車や各種内燃機関の排ガス中や、ボイラ等の燃焼ガス中の酸素濃度を測定する全領域空燃比センサ等の酸素センサに適用することができるが、これらの用途に限られない。例えば、ＮＯｘガス濃度検出用ガスセンサや、ＮＯX以外のガス（例えばＣＯXやＨ2Ｏ、ＨＣなど）の濃度を測定するためのセンサ素子を有するガスセンサに対して適用することもできる。
又、筒型に限らず板状のセンサ素子に対して本発明を適用することもできる。
【００１９】
又、凹凸２０ｕは、加締め部２０ａの周方向の全周に形成されていることが好ましいが、周方向の一部に形成されていてもよい。又、図３に示すように、加締め部２０ａの内表面２０ｙに、凹凸２０ｕと相補的な凹凸２０ｖが形成されていると、加締め部２０ａの強度がさらに高くなるので好ましいが、加締め部２０ａの内表面２０ｙに凹凸２０ｖが形成されていなくてもよい。加締め部２０ａの内表面２０ｙに凹凸２０ｖを形成する方法としては、凹凸２００ｕの高低差、加締め荷重、又は加締め部２０ａの厚みを調整することが挙げられる。
凹凸２０ｕの形状も上記に限定されず、例えば図６に示すように、凸部と凹部の曲率を変更した波形状（図６（ａ））、加締め部２０ａの外表面２０ｘのみに凹凸２０ｕを付けた形状（図６（ｂ））、加締め部２０ａの外表面２０ｘに幅狭の深い凹を付け、内表面２０ｙに相補的な突起を付けた形状（図６（ｃ））等とすることもできる。
【００２０】
なお、「他部材」は金属リング３０に限られず、例えば図７に示すように、プロテクタ７ｘを他部材とすることができる。この場合、主体金具２０ｘの先端側に加締め部２０ａｘが形成される。なお、図７は、加締め加工を示す工程図である。
図７（ａ）に示すように、プロテクタ７ｘは図１のプロテクタ７と同様、有底筒状で金属製二重の外側プロテクタ７ｂｘおよび内側プロテクタ７ａｘを有する。又、プロテクタ７ｘの後端側には径方向外側に突出するフランジ部７ｆが形成されている。一方、主体金具２０ｘの先端向き面には環状の溝部２０ｈが形成され、溝部２０ｈの外周部には先端に向かって延びる円筒状の加締め素形部２０ｒ２が形成されている。
そして、図７（ｂ）に示すように、センサ素子３が挿入及び保持された主体金具２０の溝部２０ｈに、プロテクタ７ｘのフランジ部７ｆを挿入し、加締め金型３００の中心孔３００ｈにプロテクタ７ｘを挿入する。加締め金型３００は、図４の加締め金型２００と同様な形状をなし、加締め金型２００を軸線Ｏ方向に反転させて使用する。そして、図７（ｃ）に示すように、加締め金型３００の後端向き面３００ａを加締め素形部２０ｒ２に当接させ、加締め素形部２０ｒ２を径方向内側に曲げつつ後端側へ向かって押圧して加締め、加締め部２０ａｘを形成する（加締め工程）。後端向き面３００ａ（特許請求の範囲の「当接面」に相当）には、金型部凹凸３００ｕが形成されているので、図５の場合と同様、加締めによって加締め部２０ａ２の外表面に凹凸２０ｕ２が型押しされる。
図７の例においては、加締め部２０ａｘがスプリングバックにより先端側へ戻り難く、プロテクタ７ｘを主体金具２０ｘの先端側にしっかりとゆるまずに加締めることができる。
【符号の説明】
【００２１】
３                      センサ素子
６                      充填部材（滑石粉末）
２０、２０ｘ            主体金具
２０ａ、２０ａ２        加締め部
２０ｒ、２０ｒ２        加締め素形部
３０、７ｘ              他部材（金属リング、プロテクタ）
２０ｕ、２０ｕ２        加締め部の凹凸
１００                  ガスセンサ
２００、３００          加締め金型
２００ａ、３００ａ      当接面
２００ｕ、３００ｕ      金型部凹凸
Ｏ                      軸線方向
【図１】
2014222151.tif 000003
【図２】
2014222151.tif 000004
【図３】
2014222151.tif 000005
【図４】
2014222151.tif 000006
【図５】
2014222151.tif 000007
【図６】
2014222151.tif 000008
【図７】
2014222151.tif 000009